(57)【特許請求の範囲】
【請求項１】
湯水の流路を開閉する湯水開閉弁と、洗剤を貯留する洗剤タンクと、洗剤タンクに貯留された洗剤を圧送する圧送手段と、湯水開閉弁を通って流入した湯水に圧送された洗剤を混入して洗浄液を生成する洗剤混合部とを有する洗浄液生成装置と、浴槽に取り付けられる洗浄ノズルと、湯水供給源と洗浄液生成装置とを連結する第１管路と、洗浄液生成装置と洗浄ノズルとを連結する第２管路と、洗浄液生成装置の作動を制御する制御装置とを備え、洗浄ノズルから洗浄液を噴射して浴槽を洗浄する浴槽洗浄装置であって、洗浄ノズルから警告用の湯水を短時間噴射した後、洗浄工程を開始することを特徴とする浴槽洗浄装置。
【請求項２】
洗浄工程の初期に、洗浄液を洗浄ノズルから噴射し、引き続いて湯水のみを洗浄ノズルから噴射することにより初期洗浄を行うことを特徴とする請求項１に記載の浴槽洗浄装置。
【請求項３】
洗浄工程において、洗浄液の洗浄ノズルからの噴射と、所定時間の待機と、湯水のみの洗浄ノズルからの噴射と、所定時間の待機とから成る工程を複数回繰り返した後、最後に洗浄ノズルから湯水のみを噴射することを特徴とする請求項１又は２に記載の浴槽洗浄装置。
【請求項４】
洗浄工程最後の洗浄ノズルからの湯水のみの噴射を複数回に分けて行うことを特徴とする請求項３に記載の浴槽洗浄装置。
【請求項５】
湯水開閉弁を開いて湯水を洗剤混合部に流入させ、湯水開閉弁を閉じ、圧送手段を作動させ洗剤混合部内の湯水に洗剤を混合して洗浄液を生成することを特徴とする請求項１乃至４の何れか１項に記載の浴槽洗浄装置。
【請求項６】
洗浄液の生成後、湯水開閉弁を開いて洗剤混合部内の洗浄液を洗浄ノズルの手前まで送り、湯水開閉弁を閉じ、再度湯水開閉弁を開いて洗浄ノズルから洗浄液を噴射し、洗浄液の噴射終了と共に湯水開閉弁を閉じることを特徴とする請求項５に記載の浴槽洗浄装置。
【発明の詳細な説明】
【０００１】
【発明の属する技術分野】
本発明は、浴槽洗浄装置に関するものである。
【０００２】
【従来の技術】
従来の浴槽洗浄装置においては、例えば特開平３−２３４２３６号に開示されているように、洗浄開始操作を行うと、何らの警告も無しに洗浄液が洗浄ノズルから噴射していた。
【０００３】
【発明が解決しようとする課題】
特開平３−２３４２３６号の浴槽洗浄装置には以下の問題があった。
▲１▼何らの警告も無しに洗浄液を洗浄ノズルから噴射するので、浴室に人がいた場合、洗浄液が人の目に入る等の危険性がある。
▲２▼洗剤と圧搾空気とを同時に噴射して洗剤の微噴霧を浴槽に付着させる工程と、圧搾空気を噴射して洗剤の微噴霧を浴槽から排除する工程と、圧搾空気と水とを同時に噴射して浴槽に付着した洗剤を希釈流出させる工程と、水を噴射して浴槽を濯ぐ工程とから洗浄工程が構成されており、洗浄工程ひいては浴槽洗浄装置の構成が複雑である。
本発明は上記問題に鑑みてなされたものであり、従来に比べて安全性の高い浴槽洗浄装置を提供することを目的とする。本発明は更に、洗浄工程が単純であり、少量の湯水と洗剤量とで浴槽洗浄が可能な浴槽洗浄装置を提供することを目的とする。
【０００４】
【課題を解決するための手段】
上記課題を解決するために、本発明においては、湯水の流路を開閉する湯水開閉弁と、洗剤を貯留する洗剤タンクと、洗剤タンクに貯留された洗剤を圧送する圧送手段と、湯水開閉弁を通って流入した湯水に圧送された洗剤を混入して洗浄液を生成する洗剤混合部とを有する洗浄液生成装置と、浴槽に取り付けられる洗浄ノズルと、湯水供給源と洗浄液生成装置とを連結する第１管路と、洗浄液生成装置と洗浄ノズルとを連結する第２管路と、洗浄液生成装置の作動を制御する制御装置とを備え、洗浄ノズルから洗浄液を噴射して浴槽を洗浄する浴槽洗浄装置であって、洗浄ノズルから警告用の湯水を短時間噴射した後、洗浄工程を開始することを特徴とする浴槽洗浄装置を提供する。
本発明に係る浴槽洗浄装置においては、洗浄工程の開始前に警告用の湯水を洗浄ノズルから短時間噴射する。湯水には洗剤は混入していないので、万一浴室にいる人の目に入っても、安全である。湯水の噴射により、浴室内にいる人は浴槽洗浄の開始を認識し、浴室から退去するので、浴槽洗浄が開始され、湯水に洗剤が混入された洗浄液が洗浄ノズルから噴射されても何ら危険は無い。従って、本発明に係る浴槽洗浄装置は従来の浴槽洗浄装置に比べて安全性が高い。
【０００５】
本発明の好ましい態様においては、浴槽洗浄装置は、洗浄工程の初期に、洗浄液を洗浄ノズルから噴射し、引き続いて湯水のみを洗浄ノズルから噴射することにより初期洗浄を行う。
洗浄液が浴槽囲壁に付着して、浴槽表面の汚れを洗浄液中に溶解させる。引き続いて噴射される湯水により、汚れを溶解した洗浄液が洗い流される。本洗浄に先立って、初期洗浄により、浴槽内面に付着した毛髪等のゴミが洗い流される。初期洗浄により浴槽内面に付着した水垢等の汚れが落ち易い状態になり、次に行われる本洗浄の洗浄効果が向上する。この結果、浴槽洗浄での洗剤と湯水の使用量が低減する。
【０００６】
本発目の好ましい態様においては、浴槽洗浄装置は、洗浄液の洗浄ノズルからの噴射と、所定時間の待機と、湯水のみの洗浄ノズルからの噴射と、所定時間の待機とから成る工程を複数回繰り返した後、最後に洗浄ノズルから湯水のみを噴射する。
洗浄液の噴射と湯水のみの噴射の間に所定の待機時間があるので、洗浄液は洗い流されることなく浴槽内面上に所定時間滞留する。この結果、洗浄液の洗浄作用が十分に発揮される。洗浄液の洗浄ノズルからの噴射と、所定時間の待機と、湯水のみの洗浄ノズルからの噴射と、所定時間の待機とを複数回繰り返すことにより、洗浄効果が高まる。前記の二つの効果が相まって、浴槽洗浄での洗剤と湯水の使用量が低減する。洗浄液の噴射と湯水のみの噴射とにより構成された洗浄工程は単純であり、浴槽洗浄装置の構成も単純化できる。
【０００７】
本発目の好ましい態様においては、浴槽洗浄装置は、洗浄工程最後の洗浄ノズルからの湯水のみの噴射を複数回に分けて行う。
濯ぎ洗いの工程を複数回に分けて行うことにより、各濯ぎ洗い工程間に待機時間が形成される。この結果、洗剤の泡切れが良くなり、濯ぎ洗いの効率が向上し、湯水の使用量が低減する。
【０００８】
本発明の好ましい態様においては、浴槽洗浄装置は、湯水開閉弁を開いて湯水を洗剤混合部に流入させ、湯水開閉弁を閉じ、圧送手段を作動させ洗剤混合部内の湯水に洗剤を混合して洗浄液を生成する。
洗剤混合部内に滞留する湯水に洗剤を混合するので、湯水の水圧変動に関わり無く常に適正濃度の洗浄液を生成することができる。
【０００９】
本発明の好ましい態様においては、浴槽洗浄装置は、洗浄液の生成後、湯水開閉弁を開いて洗剤混合部内の洗浄液を洗浄ノズルの手前まで送り、湯水開閉弁を閉じ、再度湯水開閉弁を開いて洗浄ノズルから洗浄液を噴射し、洗浄液の噴射終了と共に湯水開閉弁を閉じる。
洗浄ノズルの手前に在る洗浄液の塊のみを噴射するので、洗浄液は湯水によって希釈されることなく、浴槽内面に付着する。この結果、洗浄液の洗浄作用が十分に発揮される。
【００１０】
【発明の実施の形態】
本発明の実施例に係る浴槽洗浄装置を説明する。
図１〜３に示すように、浴室ユニット１００内に浴槽２００が配設されている。洗い場１０１側の浴槽２００の側面は、浴槽のリム２０１とエプロン２０２とにより覆われ、視界から遮断されている。
浴室側壁１０２の、浴槽２００裏面に対峙する部分、より詳しくは浴槽２００の洗い場１０１側の隅部裏面に対峙する部分に、洗浄液生成装置１が取り付けられている。浴室ユニット１００の床上に配設され、図示しない湯水供給源から延びる図示しない湯水配管に接続された分岐金具３００から、軟質合成樹脂製の軟質ホース２が延び、洗浄液生成装置１に接続している。洗浄液生成装置１から延びる軟質合成樹脂製の軟質ホース３が、浴槽２００の洗い場１０１側の側壁に取り付けられた一対の洗浄ノズル４と、前記側壁と向かい合う側壁に取り付けられた一体の洗浄ノズル４とに接続している。分岐金具３００、洗浄液生成装置１、軟質ホース２、３は、リム２０１とエプロン２０２とにより浴室使用者の視線から遮断されている。
【００１１】
図４〜７に示すように、洗浄液生成装置１は、軟質ホース２に接続する入口ポート５を有している。湯水の流れに関して入口ポート５の下流に、吸気弁６が配設され、吸気弁６の下流に電磁弁により開閉制御されるパイロット式の湯水開閉弁７が配設されている。図８に示すように、吸気弁６は、Ｏリング６ａに当接して流路６ｂを塞ぐボール６ｃと、ボール６ｃをＯリング６ａへ向けて付勢するバネ６ｄとを有している。図４〜７に示すように、湯水開閉弁７の下流に大気開放弁８が配設されている。
図４〜７に示すように、湯水の流れに関して大気開放弁８の下流に昇降弁９が配設されている。図９に示すように、昇降弁９は、Ｏリング９ａに当接して流路９ｂを塞ぐボール９ｃと、ボール９ｃをＯリング９ａから離脱する方向へ付勢するバネ９ｄとを有している。図４〜７に示すように、昇降弁９の下流に逆止弁１０が配設されている。逆止弁１０の下流に洗剤混合部１１が配設されている。
図４〜７に示すように、入口ポート５、吸気弁６、湯水開閉弁７、大気開放弁８、昇降弁９、逆止弁１０、洗剤混合部１１は、管路によって順次接続されている。昇降弁９、逆止弁１０、洗剤混合部１１は、入口ポート５、吸気弁６、湯水開閉弁７、大気開放弁８の下方に配設されている。
昇降弁９の下端は大気開放されており、図２、３、５に示すように、昇降弁９の下方に排水受け部材２３が配設されている。一端が排水受け部材２３に接続された排水ホース２４が浴槽排水口２００ａ近傍まで延在している。
【００１２】
図４〜６に示すように、洗剤混合部１１に隣接して洗剤タンク１２が配設されている。図１〜３に示すように、洗剤タンク１２の頂部から延びる洗剤ホース２５が、浴槽のリム２０１に形成された洗剤注ぎ口２０１ａに接続している。洗剤注ぎ口２０１ａを閉じる蓋２６が配設されている。図４〜６に示すように、一端が洗剤タンク１２の頂部に接続され他端が洗剤注ぎ口２０１ａと略同一高さ位置で大気開放された大気開放ホース２７が配設されている。図４、５、１０に示すように、洗剤タンク１２の下半分は、略Ｕ形の平断面形状を有している。洗剤タンク１２の底壁に、洗剤抜き栓１３が取り付けられている。洗剤タンク１２の下部に、フロートスイッチ１４が配設されている。
図４、５、１０に示すように、略Ｕ形の平断面形状を有する洗剤タンク１２の下半分が形成する凹部１２ａ内に、ポンプ１５が配設されている。ポンプ１５は洗剤タンク１２に接続されている。ポンプ１５と洗剤タンク１２との接続部を包囲する水密パッキンが配設されている。ポンプ１５と洗剤タンク１２とを接続する管路内にフィルター１５ａが配設されている。図４〜６に示すように、凹部１２ａの上半分は、洗剤タンク１２に取り付けられた防水パッキンと遮蔽板１６とにより覆われている。凹部１２ａ内に気密パッキン１７が配設されている。この結果、ポンプ１５の上部、ひいてはポンプ１５の上部に配設された入力端子１５ｂは、凹部１２ａ側壁と遮蔽板１６及び防水パッキンと気密パッキン１７とにより包囲され、周域環境から遮断されている。ポンプ１５から延びる軟質チューブ１８が、逆止弁１９に接続している。逆止弁１９は洗剤混合部１１に接続している。
【００１３】
図５に示すように、湯水の流れに関して洗剤混合部１１の下流に定流量弁等の流量調節弁２０が配設されている。流量調節弁２０の下流に出口ポート２１が配設されている。出口ポート２１は軟質ホース３に接続している。
【００１４】
図４〜７に示すように、入口ポート５、吸気弁６、湯水開閉弁７、大気開放弁８、昇降弁９、逆止弁１０、１９、洗剤混合部１１、流量調整弁２０、出口ポート２１は、一体に組み付けられて第１組立体Ａを形成している。洗剤タンク１２とポンプ１５とフロートスイッチ１４とは一体に組み付けられて第２組立体Ｂを形成している。
図４〜７に示すように、洗浄液生成装置１の第１組立体Ａと第２組立体Ｂとは、支持金具２２に取り付けられている。支持金具２２に複数の開口２２ａが形成されている。複数の開口２２ａの上縁が浴室側壁１０２に予め取り付けられた複数の支持部材４００に係合することにより、支持金具２２は浴室側壁１０２に取り付けられている。
【００１５】
剤タンク１２内の洗剤残量を表示する図示しない表示装置が配設されている。
【００１６】
図１１に示すように、洗浄ノズル４は、軟質ホース３に接続されたノズル継手４ａを有している。ノズル継手４ａの雄ねじが形成された一端が、浴槽２００の側壁に形成された取り付け穴に、浴槽２００の外側から挿入されている。雌ねじが形成された継手固定具４ｂが、浴槽２００の内側から前記取り付け穴に挿入され、ノズル継手４ａに螺合している。ノズル継手４ａと継手固定具４ｂとは協働し、パッキン４ｃを介し前記取り付け穴周囲の浴槽２００側壁を挟持して、当該側壁に取り付けられている。ノズル継手４ａと継手固定具４ｂとにより、ノズル継手組立体が形成されている。ノズル本体４ｄが、浴槽２００の内側からノズル継手組立体に挿入されている。ノズル継手４ａに形成された一対のキー４ａ′が、ノズル本体４ｄに形成された一対のキー溝４ｄ′に係合している。ノズル本体４ｄに形成された周溝に係合する第１Ｏリング４ｅがノズル継手４ａに当接してノズル本体４ｄとノズル継手４ａとの間の環状隙間をシールしている。ノズル本体４ｄに形成された周溝に係合する第２Ｏリング４ｆが継手固定具４ｂに形成された段部４ｂ′に係合して、ノズル本体４ｄを継手固定具４ｂに係止し、ひいてはノズル継手４ａと継手固定具４ｂとにより形成されたノズル継手組立体に係止している。
【００１７】
図１２を参照しつつ、本実施例に係る浴槽洗浄装置の作動を説明する。
浴槽２００の空槽時に、図示しない浴槽洗浄装置の洗浄開始ボタンを操作すると、制御装置の指令に基づいて湯水開閉弁７が短時間開いた後閉じる。図示しない湯水供給源から分岐金具３００と軟質ホース２とを通って圧送された湯水が、入口ポート５を通って洗浄液生成装置１へ流入し、管路を経て洗剤混合部１１に到達し、出口ポート２１を通って洗浄液生成装置１から流出する。湯水は軟質ホース３を通って洗浄ノズル４に到達し、洗浄ノズル４から短時間噴出する。短時間の湯水の噴射により、浴室ユニット１００内にいる人に浴槽洗浄の開始が警告される（図１２の（１））。浴室ユニット１００内にいる人の目に万一湯水が入ったとしても、湯水には洗剤は混入されていないので安全である。従って、本実施例に係る浴槽洗浄装置は従来の浴槽洗浄装置に比べて安全性が高い。
【００１８】
湯水の警告噴射から所定時間経過後に洗浄工程が開始される。制御装置の指令により、ポンプ１５が所定時間作動した後停止する。洗剤タンク１２内の洗剤が洗剤混合部１１へ圧送される。洗剤混合部１１内に滞留する湯水に洗剤が混入され、洗剤混合部１１内で洗浄液が生成される（図１２の（２））。洗剤混合部１１内に滞留する湯水に洗剤を混入するので、洗浄液生成装置１へ供給される湯水の水圧が変動しても、常に所望の適正濃度の洗浄液を生成することができる。
制御装置の指令により、湯水開閉弁７が開き、洗剤混合部１１内の洗浄液は流量調整弁２０を通って適正流量に調整された後、軟質ホース３を通って洗浄ノズル４へ圧送され、洗浄ノズル４から噴出して浴槽内面に付着する。浴槽内面に付着した汚れが洗浄液中に溶解する。洗浄液の噴射に連続して湯水のみの噴射が行われ、汚れを溶解した洗浄液が洗い流された後、湯水開閉弁７が閉じる（図１２の（３））。以上により浴槽内面の初期洗浄が終了する。初期洗浄により、本洗浄に先立って、浴槽内面に付着した毛髪等のゴミを洗い流すことができる。また浴槽内面に付着した水垢等の汚れを落ち易い状態にすることができる。この結果、本洗浄の洗浄効果が高まり、浴槽洗浄での洗剤と湯水の使用量が低減する。
【００１９】
制御装置の指令により、ポンプ１５が所定時間作動した後停止する。洗剤タンク１２内の洗剤が洗剤混合部１１へ圧送される。洗剤混合部１１内に滞留する湯水に洗剤が混入され、洗剤混合部１１内で洗浄液が生成される（図１２の（４））。
制御装置の指令により、湯水開閉弁７が所定時間開いた後閉じる。洗剤混合部１１内の洗浄液が洗浄ノズル４の手前まで圧送される（図１２の（５））。所定時間経過後、湯水開閉弁７が再度所定時間開いた後閉じる。洗浄ノズル４の手前に在る洗浄液が全量噴射される（図１２の（６））。以上により洗浄液が浴槽内面に付着する。洗浄ノズルの手前に在る洗浄液の塊のみを噴射するので、洗浄液は湯水によって希釈されることなく、浴槽内面に付着する。この結果、洗浄液の洗浄作用が十分に発揮される。初期洗浄により落ち易くなった浴槽内面の汚れは、容易に洗浄液に溶解する。
【００２０】
制御装置の指令により、図１２の（４）〜（６）の工程が複数回繰り返される。この結果、洗浄液の噴射と、所定時間の待機と、湯水のみの噴射と、所定時間の待機とから成る工程が複数回繰り返され、浴槽内面に付着した汚れが十分に洗い落とされる。洗浄液の噴射と湯水の噴射との間に所定の待機時間があるので、浴槽内面に付着した洗浄液は所定時間洗い流されることなく浴槽内面上に滞留る。この結果、洗浄液の汚れ溶解作用が十分に発揮される。洗浄液の噴射と、所定時間の待機と、湯水のみの噴射と、所定時間の待機とから成る工程を複数回繰り返すことにより、洗浄効果が高まる。前記の二つの効果が相まって、浴槽洗浄での洗剤と湯水の使用量が低減する。洗浄液の噴射と湯水のみの噴射とにより構成された洗浄工程は単純であり、浴槽洗浄装置の構成も単純化できる。
制御装置の指令により、湯水開閉弁７が所定時間開いた後閉じる。洗浄ノズル４から湯水のみが所定時間噴射され（図１２の（７））、浴槽１００が濯ぎ洗いされて、浴槽洗浄が終了する。洗浄工程最後の洗浄ノズルからの湯水のみの噴射を複数回に分けて行うのが望ましい。濯ぎ洗いの工程を複数回に分けて行うことにより、各濯ぎ洗い工程間に待機時間が形成される。この結果、洗剤の泡切れが良くなり、濯ぎ洗いの効率が向上し、湯水の使用量が低減する。
【００２１】
本願発明者が行った浴槽洗浄試験により、図１２の洗浄工程（１）〜（７）の詳細を以下のように設定すると、好適な洗浄結果が得られることが分かった。
▲１▼洗浄工程（１）での通水時間を３秒に設定する。警告の為の湯水噴出なので、短時間で十分である。
▲２▼洗浄工程（１）と洗浄工程（２）との間の待機時間を５秒に設定する。５秒あれば浴室内にいる人は浴室外へ退出できる。洗浄工程（２）の洗剤吐出時間を約１秒に設定して洗剤吐出量を約７〜１２ｃｍ３にする。洗剤量が７ｃｍ３未満であると浴槽に付着する洗剤量が過少になり洗浄能力が低下する。洗剤量が１２ｃｍ３を超えると浴槽に付着せずに浴槽から流れ出る洗剤量が増え洗剤が無駄になる。
▲３▼洗浄工程（２）と洗浄工程（３）との間の待機時間を５秒に設定する。洗浄工程（３）の通水時間を１５秒に設定する。洗浄液の噴出に続いて湯水を噴出することにより、毛髪等の付着物を８０〜９０％洗い流すことができる。湯水のみの噴出に比べて付着物の洗い流し量が５０〜６０％増加する。噴出時間は１５秒が好適である。
▲４▼洗浄工程（３）と洗浄工程（４）との間の待機時間を５秒に設定する。洗浄工程（４）の洗剤吐出時間を約１秒に設定して洗剤吐出量を約７〜１２ｃｍ３にする。洗剤量が７ｃｍ３未満であると浴槽に付着する洗剤量が過少になり洗浄能力が低下する。洗剤量が１２ｃｍ３を超えると浴槽に付着せずに浴槽から流れ出る洗剤量が増え洗剤が無駄になる。
▲５▼洗浄工程（４）と洗浄工程（５）との間の待機時間を５秒に設定する。洗浄工程（５）の通水時間を約０．７秒に設定する。長辺長さが１２００〜１６５０ｍｍの浴槽では、０．７秒間の通水で、洗剤混合部内の洗浄液を洗浄ノズルの手前まで圧送することができる。
▲６▼洗浄工程（５）と洗浄工程（６）との間の待機時間を３０秒に設定する。洗浄工程（６）の通水時間を１秒に設定する。１秒間の通水で、洗浄液が浴槽に付着する。通水時間が１秒を超えると、付着した洗浄液が洗い流されてしまう。
▲７▼洗浄工程（４）〜（６）の繰り返し数を４に設定する。繰り返し数が３以下であると洗浄能力が低下し、繰り返し数を５以上にしても顕著な洗浄効果の向上は望めず、洗剤の無駄使いになる。洗浄工程（４）〜（６）を繰り返す際の、洗浄工程（６）と洗浄工程（４）との間の待機時間を３０秒に設定する。浴槽の側面に付着した洗浄液が浴槽の底面まで流れ落ち、浴槽全体に洗浄液が付着するのに３０秒掛かる。
▲８▼洗浄工程（４）〜（６）を４回繰り返した後の、洗浄工程（６）と洗浄工程（７）との間の待機時間を３０秒に設定する。前述の如く、浴槽の側面に付着した洗浄液が浴槽の底面まで流れ落ち、浴槽全体に洗浄液が付着するのに３０秒掛かる。洗浄工程（７）の通水を２回に分けて行い、第１回目の通水時間を３０秒に設定し、第２回目の通水時間を７０秒に設定し、第１回目の通水と第２回目の通水との間の待機時間を３０秒に設定する。濯ぎ洗いを複数回に分けて行うことにより、湯水使用量が低減する。第１回目の３０秒間の通水で浴槽内壁に付着した洗浄液を洗い流し、第２回目の７０秒間の通水で風呂蓋等に付着した洗浄液を洗い流す。
【００２２】
【発明の効果】
上記説明から分かるように、本発明に係る浴槽洗浄装置においては、洗浄工程の開始前に警告用の湯水を洗浄ノズルから短時間噴射する。湯水には洗剤は混入していないので、浴室にいる人の目に万一湯水が入っても、安全である。湯水の噴射により、浴室内にいる人は浴槽洗浄の開始を認識し、浴室から退去するので、浴槽洗浄が開始され、湯水に洗剤が混入された洗浄液が洗浄ノズルから噴射されても何ら危険は無い。従って、本発明に係る浴槽洗浄装置は従来の浴槽洗浄装置に比べて安全性が高い。
【図面の簡単な説明】
【図１】本発明の実施例に係る浴槽洗浄装置の上面図である。
【図２】図１のＩＩ−ＩＩ矢視図である。
【図３】図１のＩＩＩ−ＩＩＩ矢視図である。
【図４】本発明の実施例に係る浴槽洗浄装置が有する洗浄液生成装置の構造図である。
【図５】図４のＶ−Ｖ矢視図である。
【図６】図４のＶＩ−ＶＩ矢視図である。
【図７】図４のＶＩＩ−ＶＩＩ矢視図である。
【図８】本発明の実施例に係る浴槽洗浄装置が有する吸気弁の断面図である。
【図９】本発明の実施例に係る浴槽洗浄装置が有する昇降弁の断面図である。
【図１０】本発明の実施例に係る浴槽洗浄装置が有する洗剤タンクの構造図である。（ａ）は正面図であり、（ｂ）は（ａ）のｂ−ｂ矢視図であり、（ｃ）は（ａ）のｃ−ｃ矢視図である。
【図１１】本発明の実施例に係る浴槽洗浄装置が有する洗浄ノズルの構造図である。（ａ）は断面図であり、（ｂ）は（ａ）のｂ−ｂ矢視図である。
【図１２】本発明の実施例に係る浴槽洗浄装置の作動のタイムチャートである。
【符号の説明】
１  洗浄液生成装置
２、３  軟質ホース
４  洗浄ノズル
６  吸気弁
７  湯水開閉弁
８  大気開放弁
９  昇降弁
１０、１９  逆止弁
１１  洗剤混合部
１２  洗剤タンク
１５  ポンプ
１６  遮蔽板
１７  気密パッキン
２２  支持金具
１００  浴室ユニット
１０２  浴室側壁
２００  浴槽
２０１  エプロン
３００  分岐金具
【図１】
0003765406.tif 000002
【図２】
0003765406.tif 000003
【図３】
0003765406.tif 000004
【図４】
0003765406.tif 000005
【図５】
0003765406.tif 000006
【図６】
0003765406.tif 000007
【図７】
0003765406.tif 000008
【図８】
0003765406.tif 000009
【図９】
0003765406.tif 000010
【図１０】
0003765406.tif 000011
【図１１】
0003765406.tif 000012
【図１２】
0003765406.tif 000013